(57)【要約】【課題】簡単な構造で、かつ、非常キーの使用履歴を残すことのできるシリンダ錠の提供を目的とする。【解決手段】タンブラピン１、およびロックタンブラ２を装着したプラグ３と、  プラグ３が挿入され、プラグ３の初期回転位置において前記ロックタンブラ２を介してタンブラピン１をプラグ３中心方向に付勢するドライブピン４を備えたシリンダケース５とを有し、  前記プラグ３の外周縁には、前記プラグ３の解錠回転位置において前記ロックタンブラ２がプラグ３とシリンダケース５との回転境界を閉塞した状態で嵌合する嵌合凹部６が設けられる。【選択図】  図７
2015140576.tif 000002
【特許請求の範囲】
【請求項１】
タンブラピン、およびロックタンブラを装着したプラグと、
プラグが挿入され、プラグの初期回転位置において前記ロックタンブラを介してタンブラピンをプラグ中心方向に付勢するドライブピンを備えたシリンダケースとを有し、
前記プラグの外周縁には、前記プラグの解錠回転位置において前記ロックタンブラがプラグとシリンダケースとの回転境界を閉塞した状態で嵌合する嵌合凹部が設けられるシリンダ錠。
【請求項２】
前記ロックタンブラが球形状に形成される請求項１記載のシリンダ錠。
【請求項３】
請求項１または２記載のシリンダ錠と、
プラグへの挿入時に前記ロックタンブラとドライブピンとの境界をプラグとシリンダケースとの回転境界に対応させてプラグの回転を可能にする解錠凹部を備えた常用キーと、
プラグへの挿入時に前記タンブラピンとロックタンブラとの境界をプラグとシリンダケースとの回転境界に対応させてプラグの回転を可能にする解錠凹部を備えた非常キーとを有するキーシリンダセット。
【請求項４】
前記非常キーの解錠凹部は、プラグの解錠回転位置においてタンブラピンの一端をシリンダケース内周に当接させる深さに形成され、解錠回転位置における非常キーのプラグからの抜去が規制される請求項３記載のキーシリンダセット。
【請求項５】
自動販売機本体に係脱するロック部を備えて自動販売機の扉に固定されるハンドルケースと、
ハンドルケースに引き出し、および回転可能に挿入され、押し込み姿勢において取手部をハンドルケースの取手嵌合凹部に嵌合して回転操作が規制されるとともに、ハンドルケースからの引き出し姿勢における回転操作により前記ロック部をロック、アンロック位置に移動させるハンドル部と、
ハンドル部に収容され、施錠状態においてハンドル部のハンドルケースからの引き出し操作を規制する請求項１または２に記載のシリンダ錠とを有するハンドル錠。
【発明の詳細な説明】
【技術分野】
【０００１】
本発明はシリンダ錠に関するものである。
【背景技術】
【０００２】
常用の解錠キーに加えて非常用の解錠キーによる解錠操作が可能で、非常用の解錠キーによる解錠操作をした際にシリンダ錠本体からの抜去、および回転操作が不能になって使用の履歴が残るシリンダ錠としては、特許文献１に記載のものが知られている。
【０００３】
この従来例において、プラグにはコードピンに加えてロック用コードピンが装着されるとともに、シリンダケース側にドライバピンとロック用ドライバピンが装着され、シリンダ錠本体を操作するための常用キーには、コードピンとロック用コードピンとをプラグのシリンダケースとの回転境界を開放する位置に導く解錠凹部が設けられる。
【０００４】
これに対し、非常キーには、コードピンを回転境界開放位置に導く解錠凹部と、ロック用コードピンを嵌合するための嵌合凹部とが設けられる。
【０００５】
以上の構成の下、常用キー、および非常キーのいずれを挿入した状態においてもコードピンとロック用コードピンの双方はプラグとシリンダケースとの回転境界を閉塞することがないために、プラグへの回転操作が許容されるが、非常キーを使用してプラグを回転させ、ロック用コードピンがロック用ドライバピンに正対する位置まで移動すると、ロック用コードピンが嵌合凹部に嵌合するために、ロック用ドライバピンが回転境界を閉塞し、以後、プラグの回転が規制され、かつ、非常キーの抜去も規制される。
【先行技術文献】
【特許文献】
【０００６】
【特許文献１】特開２０１３-１２４４９６号公報
【発明の概要】
【発明が解決しようとする課題】
【０００７】
しかし、上述した従来例は、ドライバピンに加えてロック用ドライバピンを装着する必要があるために、構造が複雑になり、製造コストが上昇するという問題がある。
【０００８】
本発明は、以上の欠点を解消すべくなされたものであって、簡単な構造で、かつ、非常キーの使用履歴を残すことのできるシリンダ錠の提供を目的とする。
【課題を解決するための手段】
【０００９】
本発明によれば上記目的は、
タンブラピン１、およびロックタンブラ２を装着したプラグ３と、
プラグ３が挿入され、プラグ３の初期回転位置において前記ロックタンブラ２を介してタンブラピン１をプラグ３中心方向に付勢するドライブピン４を備えたシリンダケース５とを有し、
前記プラグ３の外周縁には、前記プラグ３の解錠回転位置において前記ロックタンブラ２がプラグ３とシリンダケース５との回転境界を閉塞した状態で嵌合する嵌合凹部６が設けられるシリンダ錠を提供することにより達成される。
【００１０】
シリンダケース５内に挿入されるプラグ３には、タンブラピン１と、該タンブラピン１のプラグ３遠心側端部に積層されるロックタンブラ２とが装着され、これらタンブラピン１、およびロックタンブラ２は、プラグ３が初期回転位置にあるときにシリンダケース５内に配置されるドライブピン４の移動方向線上に位置してプラグ３中心方向に付勢される。
【００１１】
以上の構成の下、プラグ３への回転操作は、ドライブピン４とロックタンブラ２との境界をプラグ３とシリンダケース５との回転境界に位置させることに加え、ロックタンブラ２とタンブラピン１との境界を回転境界に位置させることによっても可能になる。ドライブピン４とロックタンブラ２とをシリンダケース５内に保持し、ロックタンブラ２とタンブラピン１との境界を回転境界に位置させた状態でプラグ３を回転操作する場合、プラグ３が解錠回転位置まで回転すると、ドライブピン４によりプラグ３中心方向に付勢されるロックタンブラ２はプラグ３の外周に形成された嵌合凹部６に押し出される。
【００１２】
ロックタンブラ２は嵌合凹部６への嵌合状態において一部がシリンダケース５内に突出してプラグ３とシリンダケース５の回転境界を閉塞し、以後のプラグ３の回転を禁止する。
【００１３】
したがって、ロックタンブラ２とタンブラピン１との境界を回転境界に位置させる深さの解錠凹部７を有する解錠キー８を使用して解錠操作を行うと、解錠位置から回転操作することができなくなるために、このような解錠キー８を使用したことを知ることが可能になる。
【００１４】
これに対し、ドライブピン４とロックタンブラ２との境界をプラグ３とシリンダケース５との回転境界に位置させたプラグ３の回転操作によっては状態変遷が発生しないために、このモードでの回転境界の開放をもたらす解錠凹部７を有する解錠キー８を常用のキーとして反復的に使用できる。
【００１５】
ロックタンブラ２には、短寸のピンタンブラを使用することも可能であるが、球形状に形成すると、プラグ３のタンブラ挿入孔内でのロックタンブラ２の傾倒による作動不良を完全に防止することが可能になる。
【００１６】
また、上述したシリンダ錠を使用したシリンダ錠セットは、
上記シリンダ錠と、
プラグ３への挿入時に前記ロックタンブラ２とドライブピン４との境界をプラグ３とシリンダケース５との回転境界に対応させてプラグ３の回転を可能にする解錠凹部７を備えた常用キー８Ａと、
プラグ３への挿入時に前記タンブラピン１とロックタンブラ２との境界をプラグ３とシリンダケース５との回転境界に対応させてプラグ３の回転を可能にする解錠凹部７を備えた非常キー８Ｂとを有して構成することができる。
【００１７】
本発明において、非常キー８Ｂを使用して解錠操作を行った場合、プラグ３は解錠操作回転位置において拘束されて回転不能となることから、非常キー８Ｂの使用履歴を残すことが可能になる。また、本発明によるシリンダ錠は、通常のシリンダ錠のプラグ３に嵌合凹部６を設け、さらにロックタンブラ２を追加しただけの簡単な構成であるために、製造コストを低減することができる。
【００１８】
また、この場合、
前記非常キー８Ｂの解錠凹部７は、プラグ３の解錠回転位置においてタンブラピン１の一端をシリンダケース５内周に当接させる深さに形成され、解錠回転位置における非常キー８Ｂのプラグ３からの抜去が規制されるように構成することができる。
【００１９】
本発明において、非常キー８Ｂにより解錠操作を行うと解錠回転位置でプラグ３への回転操作に加えて非常キー８Ｂの抜去が不能となるために、より使用履歴が明確になる。
【００２０】
さらに、上述したシリンダ錠を使用したハンドル錠は、
自動販売機本体に係脱するロック部９を備えて自動販売機の扉に固定されるハンドルケース１０と、
ハンドルケース１０に引き出し、および回転可能に挿入され、押し込み姿勢において取手部１１をハンドルケース１０の取手嵌合凹部１２に嵌合して回転操作が規制されるとともに、ハンドルケース１０からの引き出し姿勢における回転操作により前記ロック部９をロック、アンロック位置に移動させるハンドル部１３と、
ハンドル部１３に収容され、施錠状態においてハンドル部１３のハンドルケース１０からの引き出し操作を規制するシリンダ錠とを有して構成することができる。
【００２１】
本発明において、一般に自動販売機の設置、管理者により管理されている非常キー８Ｂによる使用履歴が残るために、商品、あるいは販売金額の減少の原因を、例えば、災害時等における自動販売機の設置、管理者の意思によるものと、盗難等の不正操作によるものとを確実に峻別することが可能になる。
【発明の効果】
【００２２】
本発明によれば、簡単な構造で、かつ、非常キーの使用履歴を残すことができる。
【図面の簡単な説明】
【００２３】
【図１】ハンドル錠を示す図で、（ａ）は正面図、（ｂ）は側面図である。
【図２】解錠状態のハンドル錠を示す図で、（ａ）は正面図、（ｂ）は側面図である。
【図３】ストッパ杆を示す図で、（ａ）は施錠状態における図１の３Ａ-３Ａ線断面図、（ｂ）は解錠状態を示す断面図である。
【図４】シリンダ錠を示す図で、（ａ）は正面図、（ｂ）は側面図、（ｃ）は（ａ）の４Ｃ-４Ｃ線断面図である。
【図５】解錠キーを示す図で、（ａ）は常用キーを示す正面図、（ｂ）は（ａ）の５Ｂ-５Ｂ線断面図、（ｃ）は非常キーを示す正面図、（ｄ）は（ｃ）の５Ｄ-５Ｄ線断面図
【図６】常用キーを使用した場合の特殊タンブラ部の状態を示す図で、（ａ）はプラグの初期回転位置を示す図、（ｂ）はプラグの回転初期を示す図、（ｃ）は解錠回転位置を示す図である。
【図７】非常キーを使用した場合の特殊タンブラ部の状態を示す図で、（ａ）はプラグの回転初期を示す図、（ｂ）は解錠回転位置を示す図である。
【発明を実施するための形態】
【００２４】
図１以下に自動販売機用のシリンダ錠セットとして構成された本発明の実施の形態を示す。
【００２５】
自動販売機用キーシリンダセットは、図１に示すハンドル錠（Ａ）に組み込まれるシリンダ錠（Ｂ）と、図５に示す解錠キー８とから構成される。ハンドル錠（Ａ）は、自動販売機の扉に固定されて該扉を施錠するために使用され、図外の自動販売機扉に固定されるハンドルケース１０と、ハンドルケース１０内に格納されるハンドル部１３と、ハンドルケース１０の後端に配置されてハンドル部１３への回転操作により回転するロック部９とを有し、ロック状態において、ロック部９を自動販売機本体側に固定されるストライクに係止させることにより扉の開放操作が規制される。
【００２６】
ハンドル部１３は前端部に取手部１１を有しており、該ハンドル部１３のロック状態は、図１に示すように、取手部１１をハンドルケース１０の取手嵌合凹部１２内に没入させることによって取手部１１への操作を不能にすることにより実現される。また、図外の圧縮スプリングにより突出方向に付勢されるハンドル部１３は、図３（ａ）に示すように、ストッパ杆１４をハンドルケース１０に形成された係止孔１０ａに係止させることにより没入位置が維持される。
【００２７】
ロック状態の解除は、ハンドル部１３に装着されたシリンダ錠（Ｂ）を解錠キー８を使用して操作することにより行われ、シリンダ錠（Ｂ）を解錠操作すると、まず、シリンダ錠（Ｂ）のプラグ３に連結されたカム１５が回転し、ストッパ杆１４が圧縮スプリング１６の反力に抗して係止孔１０ａからの離脱方向に移動する。ストッパ杆１４が係止孔１０ａから離脱して係止が解除されると、上述した圧縮スプリングの反力によりハンドル部１３は前方に移動し、以後、ハンドル部１３を掴んだロック解除操作が可能になる。
【００２８】
図４に示すように、シリンダ錠（Ｂ）は、シリンダケース５内にプラグ３を挿入して形成される。プラグ３には解錠キー８を挿入するキー挿入溝３ａが長手通しに開設されるとともに、該キー挿入溝３ａに進退するように、所定ピッチで適数のタンブラピン１が挿入される。
【００２９】
本例において、プラグ３は、適数のタンブラピン１をプラグ３の長手方向に沿って一直線状に配置した２列のタンブラ列を有しており、各タンブラ列内のタンブラピン１は、キー挿入溝３ａを挟んで反対方向からキー挿入溝３ａに進退する。
【００３０】
また、プラグ３内のタンブラピン１に対応してシリンダケース５内には圧縮スプリング４ａによりプラグ３中心方向に付勢されるドライブピン４が配置されており、解錠キー８を挿入しない状態において、各タンブラピン１は対応するドライブピン４に押されてプラグ３中心部に移行する。この結果、プラグ３とシリンダケース５との回転境界はドライブピン４により遮られて閉塞されるために、プラグ３に対する回転操作が規制される。
【００３１】
これに対し、図４（ｃ）に示すように、所定の解錠凹部７が設けられた解錠キー８を挿入すると、各タンブラピン１は、解錠キー８に押されてドライブピン４との境界がプラグ３とシリンダケース５との回転境界に位置するまで移動して回転境界が開放され、以後、プラグ３に対する回転操作が可能になる。各タンブラピン１のプラグ３中心側の端部には、解錠凹部７に嵌合した状態のタンブラピン１に解錠キー８の挿入操作力によりプラグ３径方向への分力を付与し、解錠キー８の挿入を可能にするテーパ面１ａが形成される。
【００３２】
図５に示すように、解錠キー８の解錠凹部７は各タンブラピン１に対応して設けられ、２列のタンブラ列を有する本例において、各タンブラ列に対応する２列に加え、この挿入姿勢に対して解錠キー８を表裏反転させた状態での使用を可能にするために、解錠キー８の断面中心に対する点対称位置にさらに２列を配置して合計４列が形成される。
【００３３】
さらに、図４（ｃ）に示すように、一方のタンブラ列の最後端にはタンブラピン１とドライブピン４との間に球形のロックタンブラ２を介装した特殊タンブラ部１７が形成される。図６（ａ）に示すように、特殊タンブラ部１７におけるドライブピン４、ロックタンブラ２、およびタンブラピン１は、プラグ３が初期回転位置（施錠回転位置）にあるときに一直線上に配置される。
【００３４】
また、図６（ｃ）に示すように、プラグ３の外周には、該プラグ３が解錠回転位置まで回転した際にドライブピン４に正対する嵌合凹部６が設けられる。嵌合凹部６は、図６（ｃ）に示すように、ドライブピン４に比して小径で、かつ、図７（ｂ）に示すように、ロックタンブラ２に比して大径に形成される。
【００３５】
以上のように構成されるシリンダ錠（Ｂ）を施解錠操作するために、通常の運用時に使用される常用キー８Ａと、非常時に使用される非常キー８Ｂとが用意される。これら常用キー８Ａと非常キー８Ｂとは、特殊タンブラ部１７に対応する解錠凹部７のみが相違し、残余の解錠凹部７のすべてが同一に形成される。
【００３６】
図６は常用キー８Ａを挿入した場合の特殊タンブラ部１７におけるタンブラピン１の状態を示すもので、常用キー８Ａの挿入により、ドライブピン４により中心方向に付勢されたタンブラピン１は常用キー８Ａの解錠凹部７により遠心方向に押し出される。この結果、ロックタンブラ２とドライブピン４との境界がプラグ３とシリンダケース５との回転境界に位置することから該回転境界が開かれ、図６（ｂ）に示すように、常用キー８Ａによるプラグ３への回転操作が可能になり、図６（ｃ）に示す解錠操作が可能になる。上述したように、嵌合凹部６は、ドライブピン４に比して小径に形成されているために、解錠回転位置において嵌合凹部６に正対するドライブピン４は嵌合凹部６に落ち込むことなく、回転境界の開放状態は保持される。
【００３７】
これに対し、図７に示すように、非常キー８Ｂの解錠凹部７の深さ寸法は、該非常キー８Ｂを挿入した状態でタンブラピン１とロックタンブラ２との境界がプラグ３とシリンダケース５との回転境界に位置するように設定されており、該非常キー８Ｂを挿入したプラグ３への回転操作も許容される。
【００３８】
上述したように、嵌合凹部６はロックタンブラ２に比して大径に形成されているために、非常キー８Ｂを使用してプラグ３を解錠回転位置まで回転させると、図７（ｂ）に示すように、ロックタンブラ２はドライブピン４により押されて嵌合凹部６に押し込まれる。図７（ｂ）に示すように、嵌合凹部６の深さは、ロックタンブラ２の長さに比して浅く、落ち込んだロックタンブラ２の先端がシリンダケース５側に突出する寸法に形成されているために、この状態でプラグ３とシリンダケース５との回転境界は閉塞され、以後、プラグ３への回転操作が不能となる。
【００３９】
さらに、非常キー８Ｂの嵌合凹部６は、図７（ｂ）の状態でタンブラのケース側端部とシリンダケース５の内周壁との間に解錠凹部７の深さを超えるクリアランスを設定しておくと、解錠回転位置において非常キー８Ｂを抜去することを可能にできるが、上記クリアランスを設定しない場合には、解錠回転位置において非常キー８Ｂの抜去も不能となり、より使用履歴が明確になる。
【符号の説明】
【００４０】
１        タンブラピン
２        ロックタンブラ
３        プラグ
４        ドライブピン
５        シリンダケース
６        嵌合凹部
７        解錠凹部
８Ａ      常用キー
８Ｂ      非常キー
９        ロック部
１０      ハンドルケース
１１      取手部
１２      取手嵌合凹部
１３      ハンドル部
Ａ        ハンドル錠
Ｂ        シリンダ錠
【図１】
2015140576.tif 000003
【図２】
2015140576.tif 000004
【図３】
2015140576.tif 000005
【図４】
2015140576.tif 000006
【図５】
2015140576.tif 000007
【図６】
2015140576.tif 000008
【図７】
2015140576.tif 000009